(57)【要約】スプレー選択と一時停止制御を有するスプレーヘッドを備えた引き出し蛇口。バネ仕掛けの押しボタンが、排水スプレーをそれが押されている間完全に遮断する。ロッカーボタンは、排水口の内部と外部のセットを通したスプレーを制御し、例えば、使用者に通気した水ジェット又は通気していないシャワーの選択を提供する。ロッカーボタンを、ロッカーボタンにより制御される転換バルブを収納するバルブ本体の枢動支柱全体に取り付ける。ロッカーボタンはバルブ本体の開口部を通して伸び、転換バルブの溝に係合する一対の脚を有する。ロッカーボタンの前部又は後部のいずれかを押すことで枢動軸周りにロッカーボタンを枢動させ、内部又は外部の噴口までの流路を決めるためにバルブ軸に沿って転換バルブを動かす。
2010503785.tif 000002
【特許請求の範囲】
【請求項１】
蛇口本体と水路と連通しているスプレーヘッドを備える蛇口のスプレー制御アセンブリであって、当該アセンブリは、
ボタン開口部を有する中空のスプレーヘッド本体、
スプレーヘッド本体内に配置され、軸方向のバルブ空洞と、水路から流路を経て排水口まで水を通すための注入口を備えたバルブ本体、
当該バルブ本体の軸方向の空洞に配置され、バルブ軸に沿って摺動可能な転換バルブ、
当該スプレーヘッド本体のボタン開口部を通してアクセス可能であり、第一及び第二の角度位置の間で転換ボタンが揺れ動くことが可能なように当該バルブ本体に枢動可能に取り付けられ、転換ボタンが第一の角度位置にある時に転換バルブが第一の軸方向の位置にあり、転換ボタンが第二の角度位置にある時に転換バルブが第二の軸方向の位置にあるように転換バルブに適合する足を有する転換ボタン、及び、
スプレーヘッド本体の開口部末端に取り付けられ、第一の噴霧口のセットと第二の噴霧口のセットを含む噴霧口を有する排水口を備え、
水は、転換バルブが第一の軸方向の位置にある時にバルブ本体から第一の噴霧口に通り抜けられて、転換バルブが第二の軸方向の位置にある時に第二の噴霧口に通り抜けられることを特徴とするスプレー制御アセンブリ。
【請求項２】
前記転換バルブが、第一及び第二のシール面、並びにバルブ軸と同心の排水口に位置する第一及び第二のバルブ座部を含み、転換バルブの第一のシール面が、転換バルブが第一の軸方向の位置にある時に第一のバルブ座部に位置し、転換バルブの第二のシール面が、転換バルブが第二の軸方向の位置にある時に第二のバルブ座部に位置する、請求項１に記載のアセンブリ。
【請求項３】
前記バルブ本体が、スプレーヘッド本体のボタン開口部に向けて伸びる枢動支柱を定め、当該枢動支柱が、その周りで転換ボタンが枢動する枢動軸を定める、請求項１に記載のアセンブリ。
【請求項４】
前記転換ボタンに前部と後部があり、前部は排水口に最も近い枢動軸の第一の側面であり、後部は排水口の反対側の枢動軸の第二の側面であり、転換ボタンの前部を押すことにより、第二の軸方向の位置までバルブ軸に沿って転換バルブが動き、転換ボタンの後部を押すことにより、第一の軸方向の位置までバルブ軸に沿って転換バルブが動く、請求項３に記載のアセンブリ。
【請求項５】
前記転換ボタンの脚が転換バルブの凹みと一致する、請求項１に記載のアセンブリ。
【請求項６】
前記転換バルブの凹みが円周状の溝である、請求項５に記載のアセンブリ。
【請求項７】
前記転換ボタンが、転換バルブの反対側においてバルブ軸に対して横に伸び、前記円周状の溝に一致する一対の脚を有する、請求項６に記載のアセンブリ。
【請求項８】
前記脚が、バルブ本体の開口部を通して転換バルブに適合する、請求項７に記載のアセンブリ。
【請求項９】
前記脚が、枢動軸に対して基本的に平行に伸び、転換バルブの円周状の溝に適合する足を有する、請求項８に記載のアセンブリ。
【請求項１０】
押すと排水口への流れを一時的に遮断する一時停止アセンブリをさらに有する、請求項１に記載のアセンブリ。
【請求項１１】
前記一時停止アセンブリが、スプレーヘッド本体の開口部を通してアクセス可能な一時停止ボタンを含み、当該一時停止ボタンが、転換バルブのバルブ軸に基本的に垂直な第二のバルブ軸に沿って配置された一時停止バルブに操作可能なように接続されている、請求項１０に記載のアセンブリ。
【請求項１２】
前記一時停止バルブが、関連するシール面を有し、バルブ本体の注入口からバルブ本体の排水口までの流れを閉鎖するのに関連したバルブ座部に対して当該関連するシール面が位置する第一の位置と、バルブ本体の注入口からバルブ本体の排水口まで流れるのに関連したバルブ座部から当該関連するシール面の位置がずれる第二の位置の間で移動可能である、請求項１１に記載のアセンブリ。
【請求項１３】
前記一時停止バルブが、第二の位置にバネで偏っている請求項１２に記載のアセンブリ。
【請求項１４】
蛇口本体と水路と連通しているスプレーヘッドを備える蛇口のスプレー制御アセンブリであって、当該アセンブリは、
ボタン開口部を有する中空のスプレーヘッド本体、
スプレーヘッド本体内に配置され、軸方向のバルブ空洞と、水路から流路を経て排水口まで水を通すための注入口を備えたバルブ本体、
当該バルブ本体の軸方向の空洞に配置され、バルブ軸に沿って摺動可能で、その一端に第一と第二のシール面と、当該シール面の間の円周状の溝を有する転換バルブ、
転換バルブの第一及び第二のシール面にそれぞれ一致する、バルブ軸を同心とする排水口に配置された第一及び第二のバルブ座部、
当該スプレーヘッド本体のボタン開口部を通してアクセス可能であり、第一及び第二の角度位置の間で転換ボタンが揺れ動くことが可能なように当該バルブ本体に枢動可能に取り付けられ、転換バルブの反対側にバルブ軸に対して横に伸びた一対の脚を有し、バルブ本体の開口部を通して転換バルブの円周状の溝に一致する、枢動軸に基本的に平行に伸びた足を有する、転換ボタン、及び、
スプレーヘッド本体の開口部末端に取り付けられ、第一の噴霧口のセットと第二の噴霧口のセットを含む噴霧口を有する排水口を備え、
転換ボタンが第一の角度位置にある時、転換バルブの第一のシール面は第一のバルブ座部に位置し、水がバルブ本体から第一の噴霧口へ通り抜けられて、転換ボタンが第二の角度位置にある時、転換バルブの第二のシール面は第二のバルブ座部に位置し、水がバルブ本体から第二の噴霧口へ通り抜けられることを特徴とするスプレー制御アセンブリ。
【請求項１５】
押すと排水口への流れを一時的に遮断する一時停止アセンブリをさらに有する、請求項１４に記載のアセンブリ。
【請求項１６】
前記一時停止アセンブリが、スプレーヘッド本体の開口部を通してアクセス可能な一時停止ボタンを含み、当該一時停止ボタンが、転換バルブのバルブ軸に基本的に垂直な第二のバルブ軸に沿って配置された一時停止バルブに操作可能なように接続されている、請求項１５に記載のアセンブリ。
【請求項１７】
前記一時停止バルブが、バネで偏っている請求項１６に記載のアセンブリ。
【請求項１８】
蛇口本体と水路と連通しているスプレーヘッドを備える蛇口のスプレー制御アセンブリであって、当該アセンブリは、
ボタン開口部を有する中空のスプレーヘッド本体、
スプレーヘッド本体内に配置され、軸方向のバルブ空洞と、水路から流路を経て排水口まで水を通すための注入口を備えたバルブ本体、
当該バルブ本体の軸方向の空洞に配置され、バルブ軸に沿って摺動可能で、その一端に第一と第二のシール面と、当該シール面の間の円周状の溝を有する転換バルブ、
転換バルブの第一及び第二のシール面にそれぞれ一致する、バルブ軸を同心とする排水口に配置された第一及び第二のバルブ座部、
当該スプレーヘッド本体のボタン開口部を通してアクセス可能であり、第一及び第二の角度位置の間で転換ボタンが揺れ動くことが可能なように当該バルブ本体に枢動可能に取り付けられ、転換バルブの反対側にバルブ軸に対して横に伸びた一対の脚を有し、バルブ本体の開口部を通して転換バルブの円周状の溝に一致する、枢動軸に基本的に平行に伸びた足を有する、転換ボタン、及び、
スプレーヘッド本体の開口部末端に取り付けられ、第一の噴霧口のセットと第二の噴霧口のセットを含む噴霧口を有する排水口を備え、
転換ボタンが第一の角度位置にある時、転換バルブの第一のシール面は第一のバルブ座部に位置し、水がバルブ本体から第一の噴霧口へ通り抜けられて、転換ボタンが第二の角度位置にある時、転換バルブの第二のシール面は第二のバルブ座部に位置し、水がバルブ本体から第二の噴霧口へ通り抜けられ、
押すと排水口への流れを一時的に遮断する一時停止アセンブリであり、当該一時停止アセンブリが、スプレーヘッド本体の開口部を通してアクセス可能な一時停止ボタンを含み、当該一時停止ボタンが、転換バルブのバルブ軸に基本的に垂直な第二のバルブ軸に沿って配置された一時停止バルブに操作可能なように接続されており、当該一時停止バルブは、関連するシール面を有し、バルブ本体の注入口からバルブ本体の排水口までの流れを閉鎖するのに関連したバルブ座部に対して当該関連するシール面が位置する第一の位置と、バルブ本体の注入口からバルブ本体の排水口まで流れるのに関連したバルブ座部から当該関連するシール面の位置がずれる第二の位置の間で移動可能であることを特徴とするスプレー制御アセンブリ。
【請求項１９】
前記一時停止バルブが、第二の位置にバネで偏っている請求項１８に記載のアセンブリ。
【請求項２０】
前記転換バルブがその両端の間に円周状の溝を有し、転換ボタンは、転換バルブの反対側にバルブ軸に対して横に伸びた一対の脚を有し、転換バルブの円周状の溝に適合する、枢動軸に基本的に平行に伸びた足を有する、請求項１９に記載のアセンブリ。
【発明の詳細な説明】
【技術分野】
【０００１】
（関連出願の相互参照）
不適用
連邦支援の研究開発の宣言
【０００２】
不適用
【背景技術】
【０００３】
本発明は蛇口に関し、特に、スプレーを制御可能なスプレーヘッドを有する蛇口に関する。
【０００４】
通常の蛇口は、１つの蛇口の胴体、１又は２以上の流量制御／混合バルブ、１又は２以上の制御ハンドル、及び１つの蛇口を有する。蛇口は、バルブを通ってきた水を放出する水路のはたらきをし、吐水は一点から始まるように調節されている場合、又は枢動口（pivotal spout）となる蛇口が所定の水平孤（horizontal arc）において始まるよう制限されている場合がある。
【０００５】
従来、蛇口は、使用者が吐水の方向と流出の開始点について自在に操れるように、特に、食器に下向きに吹き付けることを容易にするように、個々の独立したコンパクトな噴霧器であった。これらの噴霧器は、必要に応じて架台から引き出して移動することができるスプレーヘッドに取り付けられた可撓性のあるホースであった。しかしながら、これらの蛇口には調理台の上に通じる別々の穴と同様に、調理台の上に噴霧器設置のための余分な空間が必要であった。
【０００６】
別の方法として、主となる蛇口本体からスプレーヘッドを引き出す蛇口が発達した。米国特許第５，２１３，２６８号、第５，５４６，９７８号、第５，７５８，６９０号、及び第６，３７０，７１３号に一般に記載されている。この参考文献のうち、はじめの二つは蛇口本体の横から伸びる噴霧器ユニットを有し、あとの二つは蛇口本体の上部から伸びる噴霧器ユニットを有する。
【０００７】
そのような引き出し蛇口のアセンブリは、通常、追加バルブや噴霧制御ハードウェアが蛇口の中に入れられているため従来の蛇口よりも複雑である。また、個々の締め具が蛇口本体の中において、バルブアセンブリに取り付けられている必要がある。
【０００８】
米国特許第６，７３８，９９６号は、スプレーヘッドを備え、そのスプレーヘッドは、一時的な流量遮断制御、又は「一時停止」ボタン、及びスプレーヘッドの異なる噴口への流路を決めるためのフロー転換制御を有する、引き出し式の蛇口を開示している。その転換制御はバルブ部材の動きに沿った軸に垂直に押される押しボタン式の制御である。そのボタンを一度押し込むとトグル部材に対するカムを動かすきっかけとなり、バルブを一方向に動かす。そのトグルは、この操作の間に、次回そのボタンを押すとそのトグルがそのバルブを反対方向に動かすきっかけとなるように状態を変化させる。
【０００９】
この配置はかなり複雑で、上述の作動においてトグルが適切な位置に動かなければ、バルブの不完全又は不整合な作動により影響を受けやすい。さらに、使用者は２つの流れから選択するために、そのボタンを下方に真っ直ぐ押し込むという同じ動作を行う。そのため、ボタンを押したときにどの流れが選択されているかは一見して明らかでない。
【００１０】
したがって、蛇口、特に引き出し式の蛇口にスプレー制御アセンブリを改善する必要がある。
【発明の概要】
【００１１】
本発明は、蛇口本体と水路と連通しているスプレーヘッドを備える蛇口のスプレー制御アセンブリを提供する。そのスプレーアセンブリは、バルブ本体と排水口を有する中空のスプレーヘッド本体を有する。そのバルブ本体は、転換バルブがバルブ軸に沿って摺動可能な軸方向のバルブ空洞を有し、転換バルブが摺動することで、そのシール面を位置させたり位置をずらしたり、バルブ本体の注入口から流路を経たバルブ本体の排水口までの流れを制御する。スプレーヘッド本体の開口部を通してアクセス可能な転換ボタンは、転換バルブを動かして内部の噴霧口のセットと外部の噴霧口のセットのいずれかに流路を決めるように操作することができる。
【００１２】
転換ボタンはバルブ本体に枢動可能なように取り付けられ、第一及び第二の角度位置の間で揺れ動くことが可能である。一本の脚が転換ボタンから転換バルブに係合するように下方に伸びている。転換ボタンが第一の角度位置にある時、転換バルブの第一のシール面が第一のバルブ座部に位置し、転換ボタンが第二の角度位置にある時、転換バルブの第二のシール面が第二のバルブ座部に位置する。水は、転換ボタンの第一の角度位置に関連した位置に転換バルブが位置している時に、バルブ本体から外部の噴霧口を通り抜けることが可能となる。水は、転換ボタンの第二の角度位置に関連した位置に転換バルブが位置している時に、内部の噴霧口を通り抜けることが可能となる。
【００１３】
バルブ本体は、転換ボタンの枢動についての枢動軸を定めるスプレーヘッド本体におけるボタン開口部に向けて伸びる枢動支柱を定めることができる。転換ボタンには前部と後部がある。前部は排水口に最も近い枢動軸の第一の側面であり、後部は排水口の反対側の枢動軸の第二の側面である。転換ボタンの後部を押すことにより、転換バルブの第一のシール面を第一のバルブ座部に位置させるために排水口に近い第一の軸方向の位置まで、バルブ軸に沿って転換バルブが動く。転換ボタンの前部を押すことにより、第二のシール面を第二のバルブ座部に位置させるために排水口から離れた第二の軸方向の位置まで、バルブ軸に沿って転換バルブが動く。
【００１４】
転換バルブの本体はその端と端の間に円周状の溝を有していても良い。転換ボタンは、バルブ本体の１又は２以上の開口部を通して、転換バルブの反対側においてバルブ軸に対して横に伸びる一対の脚を有していても良い。その脚は、枢動軸に対して基本的に平行に伸び、転換バルブの円周状の溝に適合する足を有する。
【００１５】
スプレー制御アセンブリは、押すと排水口への流れを一時的に遮断する一時停止アセンブリを有していても良い。その一時停止アセンブリはスプレーヘッド本体の開口部を通してアクセス可能な一時停止ボタンを含む。その一時停止ボタンは、転換バルブのバルブ軸に基本的に垂直な第二のバルブ軸に沿って配置されている一時停止バルブに接続されている。一時停止バルブは、バルブ本体の注入口からバルブ本体の排水口までの流れを閉鎖するのに関連したバルブ座部に対してそのシール面が位置する第一の位置まで移動することができる。一時停止バルブはバネの力で、バルブ本体の注入口からバルブ本体の排水口まで流れさせるのに関連したバルブ座部からシール面がずれた第二の位置まで戻る。
【００１６】
このスプレー制御アセンブリは台所蛇口に特に適しており（浴槽のような他の水道設備にも有用であるが）、そこでスプレーヘッドは、蛇口の内部に配置された可撓性のあるホースにより給水配管に接続されている。これによりスプレーヘッドの位置や距離を変えるためにスプレーヘッドを蛇口から引き出すことができる。
【００１７】
本発明のこれらや他の利点は詳細な説明と図面により明らかになる。以下、本発明の好適な実施形態を説明する。本発明の全容を評価するにあたって、発明を実施するための形態は、本発明の範囲における唯一の実施形態という訳ではないとして、請求の範囲をみるべきである。
【図面の簡単な説明】
【００１８】
【図１】図１は、本発明に係るスプレーヘッドを有する引き出し蛇口の正面斜視図である。
【図２】図２は、引き出した位置と元の位置（破線）におけるスプレーヘッドを示す側面図である。
【図３】図３は、スプレーヘッドの分解斜視図である。
【図４】図４は、図１に示す通常の位置におけるスプレーヘッドの線４−４に沿った断面図であり、転換バルブが噴口のセットの内部への流路に位置している。
【図５】図５は、図４と同様の断面図であり、転換バルブが噴口のセットの外部への流路に位置している。
【図６】図６は、図４と同様の断面図であり、噴口への流れを遮断するように位置している「一時停止」ボタンを示している。
【図７】図７は、図４の線７−７に沿った端部断面図であり、転換バルブを作動させる転換ボタンを備えた転換バルブの接触面を示している。
【図８】図８は、図４の線８−８に沿った端部断面図であり、図７よりも上流部分のスプレーヘッドを示している。
【発明を実施するための形態】
【００１９】
図１は、ステッキ状の蛇口本体１２とスプレーヘッド１４を有する引き出し蛇口１０の好適な形態を示している。図２に示すように、その蛇口のスプレーヘッド１４は引き出すことができ、この場合はまず、図１で示した奥まった位置から伸びた位置まで下方に引き出す。蛇口１０は、したがってスプレーヘッド１４が蛇口本体１２に取り付けられている従来の蛇口として使用でき、又はスプレーヘッド１４を蛇口本体１２から離れて自由に動かすことができ、建物の配水管システムの注水配管へ第一バルブを経て接続されて取り付けられたスプレーホース１６の長さにのみ制限される。
【００２０】
蛇口１０の特徴である引き出しを提供する蛇口本体１２のいずれの水混合要素及び重りの付いた可撓性のある配管のいずれも、米国特許６，７５７，９２１号に開示されているものに一般にすることができ、ウィスコンシン州コーラー市のコーラー社から市販されている。簡単にいうと、従来通り、蛇口１０は、お湯と冷水の混合を制御するための取り付けられた又は分離した（図１に示す）制御ハンドル１８を有していても良い。分離したお湯と冷水の水路は、使用者によりハンドル１８を経て制御される混合バルブ（図示せず）に接続されている。蛇口本体１２よりも長く、重りの付いたホース１６は、蛇口本体の中空内部を通って混合バルブの排水口側から伸び、スプレーヘッド１４の注入口に接続されている。ホース１６の長さを長くすることで蛇口本体１２からスプレーヘッド１４が引き出せる。
【００２１】
次に、図３を参照しながらスプレーヘッド１４の構造と操作について説明する。スプレーヘッド１４は、両端が開いた外殻２０を有し、その外殻の環状壁に２つの開口部２２と２４を有する。スプレーヘッド１４の排水口末端は、内部噴口２８を備えた（当業者に知られている）エアレーターカートリッジ２６と、外部噴口３２を備えた外リング３０により定められる。エアレーターカートリッジ２６を経た流水は通気したカラム又は細流形態を供給し、外リング３０はシャワーのようなスプレー形態を供給する。
【００２２】
バルブ本体３４、転換バルブアセンブリ３６、２つの間隙を介したバルブ座部３９と４１（図４を参照。）及び様々なシールを有する流量制限器３８、ガスケット、並びにリング（図示されている。）が殻２０に収納されている。スプレーヘッド１４を経た流水を制御するための転換又はスプレー選択ロッカーボタン４０と一時停止アセンブリ４２は、殻２０において、それぞれ開口部２２と２４を経てアクセスできる。一時停止アセンブリ４２は一時停止ボタン４４を有し、使用者が一時停止ボタン４４を押すことで伸縮バネ４８に対するプランジャーバルブ４６を動かす。プランジャーバルブ４６はクリップ４８により保持され、Ｏリングや他の（円周状の溝に関連した）シールを支えて、開口部２４から水が流れ出ないようにしている。
【００２３】
図３及び４に関し、バルブ本体３４はホース１６を取り付けるねじ込み注入開口部５２を有する。バルブ本体３４は、注入開口部５２からスプレーヘッド１４の排水口まで水が流れることができる反対側の開口部末端までの流路５４を定める。一時停止アセンブリ４２はバルブ本体３４において横の空洞５６にはめ込まれ、殻２０の開口部２４に整列する。横の空洞５６は、後述するようにプランジャーバルブ４６がそこの流量を制御できるように流路５４に交差する。バルブ本体３４は軸方向の空洞５８を定め、空洞５８で転換バルブアセンブリ３６がバルブ軸６０に沿って、流路５４からエアレーターカートリッジ２６又は外リング３０のいずれかまでの流路を決めるために、ロッカーボタン４０の動きに応じて摺動することができる。転換バルブアセンブリ３６は、細首６４とヘッド６６を有する糸巻きのようなバルブ部材６２を含む。バルブ部材６２は適当なＯリングや（円周状の溝に関連した）シールをその両方の本体で支え、開口部２２から水が流れ出ることを防ぎ、そのヘッド６６によりヘッドＯリングの２つのシール面のそれそれが、外リング３０に流路が決まったときに交互にバルブ座部３９と４１に対して位置できるようにシールする。バルブ部材６２は、後述するように転換ロッカーボタンに係合するための円周状の溝６７をその本体の中間に有する。
【００２４】
図３、４及び７に関し、転換バルブアセンブリ３６は、真っ直ぐな枢動支柱６８の周りに転換ロッカーボタン４０を枢動することにより、バルブ軸６０に沿って前後に平行移動するようになっており、バルブ本体３４と一体となって、バルブ軸６０に基本的に垂直に上がる。転換ロッカーボタン４０は枢動軸７０の周りに枢動することができ、枢動支柱６８の円柱部７２の中心に伸びて、その周囲で転換ロッカーボタン４０のクリップ部７４の周りをバルブヘッド１４に挟んで取り付ける。転換ロッカーボタン４０は転換ロッカーボタン４０の前部７６を押すことで一方向（図４では反時計回り）に枢動し、枢動軸７０の外側に位置し、後部７８を押すことで反対方向（図４では時計回り）に枢動する。
【００２５】
転換ロッカーボタン４０は、バルブ軸６０に横方向に垂直で枢動軸７０に平行な伸びた小さな足８４を備えた２つの横に伸びた脚８０と８２を有する。脚８０と８２は、足８４が転換バルブ部材６２の溝６７に適合するように、バルブ本体３４の開口部８６と８８にそれぞれ伸びている。脚８０と８２（そして足８４）は、転換ロッカーボタン４０と容易に一体化して形成できる。そして、転換ロッカーボタン４０のバルブヘッド１４へのアセンブリは、足８４をバルブ部材６２の本体を避けて溝６７に適合する前に脚８０と８２をわずかにそらすようにすることで簡略化される。
【００２６】
図４、５、６、及び８に関し、スプレーヘッド１４の作用について説明する。図４にスプレーヘッド１４のある状態を示している。一時停止アセンブリ４２のプランジャーバルブ部材４６を位置しないように保持しているバネ４８と、バルブ座部４１に対してヘッドシールのシール面が位置するように転換バルブ部材６２に作用している摩擦力及び／又は水圧の効力により、スプレーヘッド１４は、この状態に偏っている。この状態では、水はホース１６から注入口５２を経てバルブ本体３４に流れることができる。水は開口部９０とプランジャーバルブ部材４６の狭い部分の周囲から入ることができる。水は流路５４を経て流量制限器３８の中心、そしてエアレーターカートリッジ２６へ流れる。水は、エアレーターカートリッジ２６の排水口２８を経て、スプレーヘッド１４から柱状形態で排水される。水の流れは水圧に対して転換ロッカーボタン４０の後部７８を押すことによりエアレーターカートリッジ２６から外リング３０へと転換する。これにより、脚８０と８２が足８４をバルブ部材６２に連動するように動かし、図５に示すようにヘッドシールの他のシール面がバルブ座部３９に位置するように、スプレーヘッド１４の排水口末端に向けて軸方向の前にそれを動かす。そのため水は、エアレーターカートリッジ２６に流れられなくなり、外リング３０の排水口３２に流路が決まり、スプレーヘッド１４からシャワー形態で排水される。
【００２７】
図６に示すように、一時停止ボタン４４を押すことにより、プランジャーバルブ４６をそのシールの一つをバルブ本体３４の開口部９０の座部に対して移動させ、開口部５２から流路５４への流れを閉鎖するため、スプレーヘッドからの水の流れは一時的に遮断できる。
【００２８】
当然のことながら、これまで本発明の好ましい形態を述べた。しかし、この好ましい形態に対する多くの変更やバリエーションは当業者に明らかであろう。そしてそれは本発明の範囲に含まれる。従って、本発明は上記実施形態にのみ限定されない。本発明の全範囲を確定するため、次の請求の範囲を参照されたい。
【産業上の利用可能性】
【００２９】
本発明は、スプレー選択と一時停止制御を備えた引き出し蛇口に適した改良されたスプレーヘッドを提供する。
【図１】
2010503785.tif 000003
【図２】
2010503785.tif 000004
【図３】
2010503785.tif 000005
【図４】
2010503785.tif 000006
【図５】
2010503785.tif 000007
【図６】
2010503785.tif 000008
【図７】
2010503785.tif 000009
【図８】
2010503785.tif 000010
【国際調査報告】
2010503785.tif 000011
2010503785.tif 000012
2010503785.tif 000013
2010503785.tif 000014
2010503785.tif 000015